(57)【要約】      （修正有）【課題】マット後端部での躓きやマット後端部の剥がれを防止でき、しかもマットの設置作業を簡単且つ正確にできる使い捨てトイレマットを提供する。【解決手段】マットの前部をトイレの便器に向けて設置するマット本体１と、このマット本体の後端部１ｂから後方に突出した状態にマット本体後部の表面側に貼着した粘着テープ２と、この粘着テープの突出粘着面を剥離可能な貼着状態で覆うと共に、マット本体後部の裏面側に非接着な状態で臨む摘みテープ片３ａとして形成したテープ幅を有する剥離テープ３とから成る。更に、マット本体の前部側裏面に補助粘着部４を設け、この補助粘着部の粘着面を覆う剥離紙５を剥離可能に貼着した。【選択図】図１
0003190518.tif 000002
【実用新案登録請求の範囲】
【請求項１】
マットの前部をトイレの便器に向けて設置し、便器外に飛散した小便を受けるマット本体と、このマット本体の後端部からテープ長さ方向に沿うテープ幅の片側部分を後方に突出した状態に該マット本体の後部の表面側にテープ長さ方向に沿うテープ幅の他方の片側部分を下側に向けられた粘着面を介して貼着し、このマット本体の後端部から後方に突出された突出テープ片の下側面を突出粘着面として形成したテープの片面を粘着面とする粘着テープと、この粘着テープの前記突出粘着面をテープ長さ方向に沿うテープ幅の一方の片側部分が剥離可能な貼着状態で覆うと共に、テープ長さ方向に沿うテープ幅の他方の片側部分を前記トイレマット本体の後部の裏面側に非接着な状態で臨む摘みテープ片として形成したテープ幅を有する剥離テープから成る使い捨てトイレマット。
【請求項２】
マットの前部をトイレの便器に向けてトイレの床面に敷いて設置し、便器外に飛散した小便を受ける、前縁部、両側縁部、直線状の後縁部で囲まれた略矩形の板状のマット本体と、このマット本体の直線状の後端部からテープ長さ方向に沿うテープ幅の片側部分を該後端部の全横幅に亘り且つ該後端部に沿って後方に帯状に突出した状態に該マット本体の後部の表面側にテープ長さ方向に沿うテープ幅の他方の片側部分を該マット本体の後部の全横幅に亘って下側に向けられた粘着面を介して貼着し、このマット本体の後端部から後方に突出された帯状の突出テープ片の下側面を突出粘着面として形成したテープの片面を粘着面とする粘着テープと、この粘着テープの前記突出粘着面をテープ長さ方向に沿うテープ幅の一方の片側部分が剥離可能な貼着状態で覆うと共に、テープ長さ方向に沿うテープ幅の他方の片側部分を前記トイレマット本体の後部の裏面側に非接着な状態で臨む摘みテープ片として形成したテープ幅を有する剥離テープから成る使い捨てトイレマット。
【請求項３】
前記マット本体の前部又は中間部の裏面に粘着面を下側に向けた補助粘着部を設け、この補助粘着部の粘着面を覆う剥離紙を剥離可能に貼着した請求項１又は２に記載の使い捨てトイレマット。
【請求項４】
前記マット本体の前部又は中間部の裏面に該マット本体の全横幅に亘る帯状の粘着面を下側に向けた補助粘着部を設け、この補助粘着部の帯状の粘着面を覆う帯状の剥離紙を剥離可能に貼着した請求項１又は２に記載の使い捨てトイレマット。
【考案の詳細な説明】
【技術分野】
【０００１】
本考案は、マットの前部をトイレの便器に向けて設置する使い捨てのトイレマットであり、特にマット後端部での躓きやマット後端部の剥がれを防止でき、しかもマットの設置作業を簡単且つ正確にできるトイレマットに関する。
【背景技術】
【０００２】
レストランやホテル等のトイレでは、マットの前部をトイレの便器に向けてトイレの床面に敷いて設置し、便器外に飛散した小便を受け、便器周りを清潔に保てるようにする使い捨てのトイレマットが使用されている。
【０００３】
この使い捨てトイレマットをトイレ床面の所定位置からズレないよう床面に固定するため、従来の使い捨てトイレマットでは、マットの裏面に粘着部（両面粘着テープなどの）を部分的に設け、この粘着部（両面粘着テープなどの）を介してマットをトイレ床面に固定するようにしたものが知られている（例えば、特許文献１〜３の使い捨てトイレマット）。
【０００４】
また、マット（不織布シート）の裏面部の全面を粘着剤で形成し、この粘着剤に剥離シートを貼着した使い捨てトイレマットも公知である（特許文献４の使い捨てトイレマット）。
【０００５】
この種の使い捨てトイレマットは、便器利用者は設置されたマットの後部側から前部方向へ進み便器を利用する。そのため、厚さがあるマットの後端部と床面との段差でトイレ利用者がマットの後端部に躓く欠点があった。また、特にマットの裏面に粘着部（両面粘着テープなどの）を部分的に設け従来のマットでは、マットの後端部を床面に完全に固定し難いため、マットの後端部が床面から剥がれ、剥がれた後端部が捲れる欠点があり、見栄えが悪いばかりでなく、床面から剥がれたマットの後端部で更に躓き易くなる欠点、この躓きでマットの後端部の捲れが更にひどくなる欠点があった。
【０００６】
また、マット裏面の全面を粘着剤で形成し、この全裏面に剥離シートを貼着した文献４の使い捨てトイレマットは、マットを設置する際に、マットの全裏面に貼着した剥離シートを剥がす作業が困難であり、剥離シートを剥がしたマットの全裏面（粘着剤）を床面に均等に貼り付ける設置作業もすこぶる困難である。
【先行技術文献】
【特許文献】
【０００７】
【特許文献１】実開平６−８５０００号公報
【特許文献２】実用新案登録第３０６１５５７号公報
【特許文献３】実用新案登録第３１６２１７９号公報
【特許文献４】特開２００９−１７２２９５号公報
【考案の概要】
【考案が解決しようとする課題】
【０００８】
このような実情に鑑み、本考案は、マットの前部をトイレの便器に向けてトイレの床面に敷いて設置し、便器利用者は設置されたマットの後部側から前部方向へ進み便器を利用する使い捨てトイレマットにおける、トイレ利用者がマットの後端部の段差で躓く欠点、マットの後端部が床面から剥がれ、後端部が捲れ、見栄えが悪くなる欠点、剥がれたマットの後端部で更に躓き易くなる欠点、等を解決すると共に、マットの設置作業が簡単で、しかも床面の所定位置に正確且つ綺麗に設置できる、設置するための作業性に優れた使い捨てトイレマットを製品化することを、解決課題とする。
【課題を解決するための手段】
【０００９】
前記した課題を解決するため、本考案（請求項１の考案）は、マットの前部をトイレの便器に向けて設置し、便器外に飛散した小便を受けるマット本体と、このマット本体の後端部からテープ長さ方向に沿うテープ幅の片側部分を後方に突出した状態に該マット本体の後部の表面側にテープ長さ方向に沿うテープ幅の他方の片側部分を下側に向けられた粘着面を介して貼着し、このマット本体の後端部から後方に突出された突出テープ片の下側面を突出粘着面として形成したテープの片面を粘着面とする粘着テープと、この粘着テープの前記突出粘着面をテープ長さ方向に沿うテープ幅の一方の片側部分が剥離可能な貼着状態で覆うと共に、テープ長さ方向に沿うテープ幅の他方の片側部分を前記トイレマット本体の後部の裏面側に非接着な状態で臨む摘みテープ片として形成したテープ幅を有する剥離テープから成る使い捨てトイレマットを提供する。
【００１０】
また、本考案（請求項２の考案）は、マットの前部をトイレの便器に向けてトイレの床面に敷いて設置し、便器外に飛散した小便を受ける、前縁部、両側縁部、直線状の後縁部で囲まれた略矩形の板状のマット本体と、このマット本体の直線状の後端部からテープ長さ方向に沿うテープ幅の片側部分を該後端部の全横幅に亘り且つ該後端部に沿って後方に帯状に突出した状態に該マット本体の後部の表面側にテープ長さ方向に沿うテープ幅の他方の片側部分を該マット本体の後部の全横幅に亘って下側に向けられた粘着面を介して貼着し、このマット本体の後端部から後方に突出された帯状の突出テープ片の下側面を突出粘着面として形成したテープの片面を粘着面とする粘着テープと、この粘着テープの前記突出粘着面をテープ長さ方向に沿うテープ幅の一方の片側部分が剥離可能な貼着状態で覆うと共に、テープ長さ方向に沿うテープ幅の他方の片側部分を前記トイレマット本体の後部の裏面側に非接着な状態で臨む摘みテープ片として形成したテープ幅を有する剥離テープから成る使い捨てトイレマットを提供する。
【００１１】
本考案（請求項１、２の考案）の使い捨てトイレマットによれば、設置する際は、剥離テープの摘みテープ片がトイレマット本体の後部の裏面側に非接着な状態で臨むように配設されているため、この摘みテープ片を摘まむ作業が容易であり、この摘みテープ片を摘まんで剥離テープの全体を前記突出粘着面から容易に剥がすことができ、露出した突出粘着面を介して突出テープ片を床面に貼着すれば、マット本体の後部の表面側に貼着した粘着テープでマット本体の後部を床面に固定でき、マット本体をトイレの床面の所定位置に簡単且つ綺麗に設置できる。
【００１２】
しかも、粘着テープでマット本体の後部を床面に固定し、設置された本考案のトイレマットは、粘着テープによってマット本体の後部の表面側と該後部に隣接した床面が連続して覆われた貼着状態となり、マット本体の後端部と床面との段差が解消されたバリアフリーの状態と成るため、トイレ利用者がマットの後端部で躓く欠点が解消され、マット本体の後部が剥がれ捲れる欠点を解消できる。
【００１３】
さらに、前記した課題を解決するため、本考案（請求項３の考案）は、前記したトイレマットの構成の加え、前記マット本体の前部又は中間部の裏面に粘着面を下側に向けた補助粘着部を設け、この補助粘着部の粘着面を覆う剥離紙を剥離可能に貼着した使い捨てトイレマットを提供する。また、本考案（請求項４の考案）は、前記したトイレマットの構成の加え、前記マット本体の前部又は中間部の裏面に該マット本体の全横幅に亘る帯状の粘着面を下側に向けた補助粘着部を設け、この補助粘着部の帯状の粘着面を覆う帯状の剥離紙を剥離可能に貼着した使い捨てトイレマットを提供する。
【００１４】
この使い捨てトイレマットを設置する際は、先ず、剥離紙を剥がした補助粘着部でマットの前部側を便器に合せた床面の正確な位置に補助的に貼着し（あるいは、この補助粘着部でマット本体の前部側を便器に合せた適宜の位置に仮貼着し）、次いで、マットの後部側を持ち上げ、剥離テープの摘みテープ片を摘まんで剥離テープを前記突出粘着面から剥がしながらマットの後部側を床面に向けて下げれば、床面に向けられた露出した突出粘着面を介して突出テープ片を床面に簡単且つ綺麗に貼着でき、マット本体の前部側と後部側を床面に固定できる。この使い捨てトイレマットによれば、補助粘着部でマット本体の前部側を便器に合せた正確な位置に補助的に貼着してから（あるいは、この補助粘着部でマット本体の前部側を便器に合せた適宜の位置に仮貼着してから）、マット本体の後部側を前記粘着テープで床面に貼着し、マットを設置するものであるため、トイレマットを正確な位置に簡単且つ綺麗に設置できる。
【考案の効果】
【００１５】
本考案の使い捨てトイレマットによれば、トイレ利用者がマットの後端部の段差で躓く欠点、マットの後端部が床面から剥がれ、見栄えが悪くなる欠点、剥がれたマットの後端部で更に躓き易くなる欠点をことごとく解消でき、しかも、マットの設置作業が簡単で、床面の所定位置に正確且つ綺麗に設置でき、設置するための作業性に優れたものである。本考案の使い捨てトイレマットは、多数のトイレマットを手早く正確に設置することが求められるレストランやホテル等のトイレに設置する使い捨てトイレマットとして効果を発揮する。
【図面の簡単な説明】
【００１６】
【図１】本考案のトイレマットの斜面図である。
【図２】図１のトイレマットの要部拡大側面図である。
【図３】図１のトイレマットを床に固定する手順を示す要部拡大側面図である。
【考案を実施するための形態】
【００１７】
本考案に係る使い捨てトイレマットの好ましい実施形態を図面に基づき説明する。図１、図２に示したように、本考案の使い捨てトイレマットは、マットの前部１Ａをトイレの便器（図示してない。）に向けてトイレの床面に敷いて設置し、便器外に飛散した小便を受ける板状のマット本体１と、このマット本体１の後端部１ｂからテープ長さ方向に沿うテープ幅の片側部分を後方に突出した状態に該マット本体の後部１Ｂの表面側にテープ長さ方向に沿うテープ幅の他方の片側部分を下側に向けられた粘着面２ａを介して貼着し、このマット本体１の後端部１ｂから後方に突出された突出テープ片２ｂの下側面を突出粘着面２ｃとして形成したテープの片面を粘着面とする粘着テープ２と、この粘着テープ２の前記突出粘着面２ｃをテープ長さ方向に沿うテープ幅の一方の片側部分が剥離可能な貼着状態で覆うと共に、テープ長さ方向に沿うテープ幅の他方の片側部分を前記トイレマット本体１の後部１Ｂの裏面側に非接着な状態で臨む摘みテープ片３ａとして形成したテープ幅を有する剥離テープ３から主に構成されている。
【００１８】
前記マット本体１は、前縁部、両側縁部、直線状の後縁部で囲まれた略矩形の板状であり、便器外に飛散した小便を受ける広さのマット面を有している。そして、好ましくは、前縁部の中央に便器の膨らみ形状に合う湾曲状の凹み部１ｃを形成し、この凹み部１ｃに複数のスリット１ｄを切り込み形成してある。
【００１９】
前記粘着テープ２は、片面を粘着面２ａとする樹脂製テープを用いている。しかし片面を粘着面とする紙製テープを除外するものではない。この粘着テープ２は、図示したように、マット本体１の直線状の後端部１ｂからテープ長さ方向に沿うテープ幅の片側部分を該後端部の全横幅に亘り且つ該後端部に沿って後方に帯状に突出した状態に該マット本体の後部１Ｂの表面側にテープ長さ方向に沿うテープ幅の他方の片側部分を該マット本体１の後部の全横幅に亘って下側に向けられた粘着面２ａを介して貼着してある。
【００２０】
前記剥離テープ３は、樹脂製の剥離テープを用いている。しかし紙製の剥離テープを除外するものではない。この剥離テープ３の摘みテープ片３ａは少なくとも摘み易い幅を有している。この剥離テープ３の後方側の側縁部３ｂは、図１、図２に示したように、突出テープ片２ｂ（突出粘着面２ｃ）の後端部より少し後方に突出するように、剥離テープ３を幅広に形成してある。もちろん、剥離テープ３の後方側の側縁部３ｂと突出テープ片２ｂ（突出粘着面２ｃ）の後端部は一致する関係にあっても良い。図示した実施形態のように、剥離テープ３のテープ幅を、剥離テープ３の後方側の側縁部３ｂが突出テープ片２ｂ（突出粘着面２ｃ）の後端部より少し後方に突出するよう幅広に形成しておけば、剥離テープ３で突出粘着面２ｃを覆う、剥離テープ３による突出粘着面２ｃへの機械的な貼着工程が容易となる。
【００２１】
図示の実施形態では、マット本体の形状を直線状の後縁部をもつ略矩形状としてあるが、例えば、マット本体の後縁部を湾曲状に突出させた形状や、マット本体の後縁部を波状とした形状でも、粘着テープ２と剥離テープ３から成る本考案の技術思想は適用可能である。
【００２２】
更に、本考案の使い捨てトイレマットは、図１に示したように、マット本体１の前部１Ａ側（中間部でも良い）の裏面に粘着面を下側に向けた補助粘着部４を設け、この補助粘着部４の粘着面を覆う剥離紙５を剥離可能に貼着してある。この補助粘着部４は、両面粘着テープをマット本体の裏面に貼着して形成しても良く、マット本体の裏面に粘着剤を塗工して形成しても良い。図１の実施形態では、マット本体１の前部１Ａ側の裏面に粘着面を下側に向けた帯状の補助粘着部４をマット本体の全横幅に亘り前記粘着テープ２と平行に設け、この帯状の補助粘着部４の粘着面を覆う帯状の剥離紙５を剥離可能に貼着してある。帯状の剥離紙５の両側縁は、剥離に際して摘み易いように、帯状の補助粘着部４の両側縁より突出するように、幅広に形成してある。剥離紙５は樹脂製でも紙製でも良い。
【００２３】
図１、２に示した使い捨てトイレマットを設置する際は、先ず、剥離紙５を剥がした補助粘着部４でマットの前部側を便器に合せた床面の正確な位置に補助的に貼着し（あるいは、この補助粘着部４でマット本体１の前部１Ａ側を便器に合せた適宜の位置に仮貼着し）、次いで、図３（Ａ）（Ｂ）に示したように、マットの後部１Ｂを持ち上げ、剥離テープ３の摘みテープ片３ａを摘まんで剥離テープ３を前記突出粘着面２ｃから剥がしながらマットの後部側を床面に向けて下げれば、図３（Ｃ）に示したように、床面Ｆに向けられた露出した突出粘着面２ｃを介して突出テープ片２ｂを床面に簡単且つ綺麗に貼着でき、マット本体の前部側と後部側を床面に固定できる。この使い捨てトイレマットによれば、補助粘着部４でマット本体１の前部１Ａ側を便器に合せた正確な位置に補助的に貼着してから（あるいは、この補助粘着部４でマット本体１の前部１Ａ側を便器に合せた適宜の位置に仮貼着してから）、マット本体１の後部１Ｂ側を前記粘着テープ２で床面に貼着し、マットを設置するものであるため、トイレマットを正確な位置に簡単且つ綺麗に設置できる。
【００２４】
この使い捨てトイレマットによれば、図２に示したように、剥離テープ３の摘みテープ片３ａがトイレマット本体１の後部１Ｂの裏面側に非接着な状態で臨むように配設されているため、この摘みテープ片３ａを摘まむ作業が容易であり、図３（Ａ）（Ｂ）に示したように、この摘みテープ片３ａを摘まんで剥離テープ３の全体を前記突出粘着面２ｃから簡単に剥がすことができる。
【００２５】
しかも、図３（Ｃ）に示したように、粘着テープ２でマット本体の後部を床面に固定し、設置された本考案のトイレマットは、粘着テープ２によってマット本体の後部１Ｂの表面側と該後部１Ｂに隣接した床面Ｆが連続して覆われた貼着状態となり、マット本体の後端部１ｂと床面との段差が解消されたバリアフリーの状態と成るため、トイレ利用者がマットの後端部１ｂで躓く欠点が解消され、マット本体の後部１Ｂが剥がれ捲れる欠点を解消できる。
【００２６】
本考案ではマット本体１の材質は特に限定しない。例えば、吸水性を有する厚手の板紙や不織布シートをマット基材層とし、このマット基材層の上面全体に防水性を有するホットメルト型の樹脂を薄く塗工し、該防水性樹脂層をマット本体の表面とし、マット基材層の下面に消臭剤を塗布したものでも良い。また、例えば、吸水性を有する厚手の板紙や不織布シートをマット基材層とし、このマット基材層の下面全体に防水性を有する薄い樹脂層を積層し、該防水性樹脂層をマット本体の裏面としたものでも良い。
【００２７】
例えば、マット本体が、吸水性を有する厚手の板紙や不織布シートをマット基材層とし、このマット基材層の上面全体に防水性樹脂層を薄く積層し、該防水性樹脂層をマット本体の表面とし、マット基材層の下面に消臭剤を塗布して構成されたものは、マット本体の表面を樹脂層としてあるため、マット本体１の後部の表面側に貼着した前記粘着テープ２との接着性が特に良好である。しかも、尿のマット下部への浸透を防止でき、マット先端部付近に飛散した尿溜まりを、マットの裏面に吸収すると共に消臭でき、マットの交換時、便器周りの床の拭き取り作業を軽減できる。
【符号の説明】
【００２８】
１  マット本体
１Ａ  マット本体の前部
１Ｂ  マット本体の後部
１ｂ  マット本体の後端部
２  粘着テープ
２ａ  粘着テープの粘着面
２ｂ  粘着テープの突出テープ片
２ｃ  粘着テープの突出粘着面
３  剥離テープ
３ａ  剥離テープの摘みテープ片
４  補助粘着部
５  剥離紙
【図１】
0003190518.tif 000003
【図２】
0003190518.tif 000004
【図３】
0003190518.tif 000005